(57)【要約】【課題】走査中の印刷開始ボタンの誤操作を防止できる印刷装置を提供する。【解決手段】本発明の印刷装置は、印刷媒体に対して手動で移動させて印刷を行う印刷装置１であって、印刷を行う印刷機構１３と、印刷機構１３を収納しユーザの手により把持可能な筐体１１と、筐体１１の第１側面（左側面１１ｅ又は右側面１１ｆ）に設けられて筐体１１を把持しているユーザの第１の手の親指（右手５Ａの親指５１Ａ又は左手５Ｂの親指５１Ｂ）の接触を検出するための指検出装置（第１指検出装置１６Ａ又は第２指検出装置１６Ｂ）と、を備えている。【選択図】図２
2019098696.tif 000002
【特許請求の範囲】
【請求項１】
印刷媒体に対して手動で移動させて印刷を行う印刷装置であって、
前記印刷を行う印刷機構と、
前記印刷機構を収納しユーザの手により把持可能な筐体と、
前記筐体の第１側面に設けられて前記筐体を把持している前記ユーザの第１の手の親指の接触を検出するための第１指検出装置と、
を備えていることを特徴とする印刷装置。
【請求項２】
前記第１側面に設けられ、前記印刷の開始を指示する第１印刷開始ボタンと、
前記第１側面に設けられ、前記第１の手の前記親指を収容できる第１凹部と、
を備え、
前記第１指検出装置は前記第１凹部内に設けられていて、
前記第１印刷開始ボタンは、前記第１側面における前記第１凹部とは異なる箇所に設けられていることを特徴とする請求項１に記載の印刷装置。
【請求項３】
前記筐体における前記第１側面と対向する第２側面に設けられて前記筐体を把持している前記ユーザの第２の手の親指の接触を検出するための第２指検出装置と、を備えていることを特徴とする請求項１又は請求項２に記載の印刷装置。
【請求項４】
前記第２側面に設けられ、前記印刷の開始を指示する第２印刷開始ボタンと、
前記第２側面に設けられ、前記第２の手の前記親指を収容できる第２凹部と、
を備え、
前記第２指検出装置は前記第２凹部内に設けられていて、
前記第２印刷開始ボタンは、前記第２側面における前記第２凹部とは異なる箇所に設けられていることを特徴とする請求項３に記載の印刷装置。
【請求項５】
制御装置を有し、
前記制御装置は、前記第１印刷開始ボタンの操作を検出した後に、前記第１指検出装置が前記第１の手の前記親指の接触を検出すると、前記印刷機構を、前記印刷機構による印刷を許可する第１印刷許可状態に設定することを特徴とする請求項１から請求項４のいずれか１項に記載の印刷装置。
【請求項６】
制御装置を有し、
前記制御装置は、前記第２印刷開始ボタンの操作を検出した後に、前記第２指検出装置が前記第２の手の前記親指の接触を検出すると、前記印刷機構を、前記印刷機構による印刷を許可する第２印刷許可状態に設定することを特徴とする請求項３又は請求項４に記載の印刷装置。
【請求項７】
制御装置を有し、
前記制御装置は、
前記第１印刷開始ボタンの操作を検出した後に、前記第１指検出装置が前記第１の手の前記親指の接触を検出すると、前記印刷機構を、前記印刷機構による印刷を許可する第１印刷許可状態に設定するとともに、前記第２印刷開始ボタンの機能を無効に設定し、
前記第２印刷開始ボタンの操作を検出した後に、前記第２指検出装置が前記第２の手の前記親指の接触を検出すると、前記印刷機構を、前記印刷機構による印刷を許可する第２印刷許可状態に設定するとともに、前記第１印刷開始ボタンの機能を無効に設定することを特徴とする請求項３又は請求項４に記載の印刷装置。
【請求項８】
制御装置と、
前記筐体の先端面に設けられて前記第１の手の人差指を収容できる第３凹部と、
前記第３凹部内に設けられて、前記第１の手の前記人差指の接触を検出する第３指検出装置と、
を備え、
前記制御装置は、前記第１印刷開始ボタンの操作を検出した後に、前記第１指検出装置及び前記第３指検出装置が前記第１の手の前記人差指の接触を検出したとき、前記印刷機構を、前記印刷機構による印刷を許可する第１印刷許可状態に設定することを特徴とする請求項１から請求項４のいずれか１項に記載の印刷装置。
【請求項９】
制御装置と、
前記筐体の先端面に設けられて、前記第２手の人差指を収容できる第３凹部と、
前記第３凹部内に設けられて、前記第２の手の前記人差指の接触を検出する第３指検出装置と、
を備え、
前記制御装置は、前記第２印刷開始ボタンの操作を検出した後に、前記第２指検出装置及び前記第３指検出装置が前記第２の手の前記人差指の接触を検出したとき、前記印刷機構を、前記印刷機構による印刷を許可する第２印刷許可状態に設定することを特徴とする請求項３又は請求項４に記載の印刷装置。
【請求項１０】
制御装置と、
前記筐体の先端面に設けられて、前記第１又は第２の手の人差指を収容できる第３凹部と、
前記第３凹部内に設けられて、前記第１又は第２の手の前記人差指の接触を検出する第３指検出装置と、を備え、
前記制御装置は、
前記第１印刷開始ボタンの操作を検出した後に、前記第１指検出装置及び第３指検出装置が前記第１の手の前記親指及び前記人差指の接触を検出すると、前記印刷機構を、前記印刷機構による印刷を許可する第１印刷許可状態にするとともに、前記第２印刷開始ボタンの機能を無効に設定し、
前記第２印刷開始ボタンの操作を検出した後に、前記第２指検出装置及び前記第３指検出装置が前記第２の手の前記親指及び前記人差指の接触を検出すると、前記印刷機構を、前記印刷機構による印刷を許可する第２印刷許可状態にするとともに、前記第１印刷開始ボタンの機能を無効に設定することを特徴とする請求項３又は請求項４に記載の印刷装置。
【請求項１１】
前記第１側面に設けられた第１電源ボタンと、
前記第２側面に設けられた第２電源ボタンと、を備え、
前記制御装置は、前記印刷機構を前記第１印刷許可状態又は前記第２印刷許可状態に設定している場合に、前記第１電源ボタン及び前記第２電源ボタンの機能を無効に設定することを特徴とする請求項７又は請求項１０に記載の印刷装置。
【発明の詳細な説明】
【技術分野】
【０００１】
本発明は、印刷装置に関するものである。
【背景技術】
【０００２】
従来、筐体に印刷開始ボタンが設けられ、ユーザが筐体を握って紙や箱等の印刷媒体上を滑らすように移動（走査）させることで、印刷媒体上に任意の文字列や図形等を印刷することが可能な手動走査型の印刷装置（いわゆる、ハンディプリンタ）が知られている（例えば、特許文献１参照）。
【先行技術文献】
【特許文献】
【０００３】
【特許文献１】特開平１１−９９７０５号公報
【発明の概要】
【発明が解決しようとする課題】
【０００４】
このような印刷装置では、印刷媒体上の印刷を行いたい所定位置に印刷装置を配置した後、手動で走査を行い印刷することになるが、所定位置に印刷装置を配置する前から印刷が可能な状態になっていると、所定位置に印刷装置を位置合わせするときに、印刷装置が走査されたものと誤認識して、印刷が開始されるおそれがある。
【０００５】
このため、所定位置に印刷装置を配置した状態として、走査を行う直前に印刷開始ボタンを操作するのが望ましく、そのためには、走査のために筐体を手で握ったときに親指が配置される場所の近くに印刷開始ボタンを配置することが考えられる。
【０００６】
しかしながら、そうすると、印刷開始ボタン上に親指を配置したまま走査を行うことも可能となり、走査中に誤って印刷開始ボタンが押圧されると、印刷装置は、例えば新たに印刷開始ボタンが操作されたものと認識して、印刷途中であるにも関わらず、再度、一からの印刷を開始してしまうというような不具合が発生するおそれがある。
【０００７】
本発明は、このような事情に鑑みなされたものであり、走査中の印刷開始ボタンの誤操作を防止できる印刷装置を提供することを目的とする。
【課題を解決するための手段】
【０００８】
上記目的を達成するために、本発明は、以下の構成により把握される。
本発明の印刷装置は、印刷媒体に対して手動で移動させて印刷を行う印刷装置であって、前記印刷を行う印刷機構と、前記印刷機構を収納しユーザの手により把持可能な筐体と、前記筐体の第１側面に設けられて前記筐体を把持している前記ユーザの第１の手の親指の接触を検出するための第１指検出装置と、を備えている。
【発明の効果】
【０００９】
本発明によれば、走査中の印刷開始ボタンの誤操作を防止できる印刷装置を提供することができる。
【図面の簡単な説明】
【００１０】
【図１】本発明の実施形態に係る印刷装置の斜視図である。
【図２】本発明の実施形態に係る印刷装置の６面図であり、（ａ）は印刷装置の平面図、（ｂ）は印刷装置の正面図、（ｃ）は印刷装置の底面図、（ｄ）は印刷装置の背面図、（ｅ）は印刷装置の右側面図、（ｆ）は印刷装置の左側面図である。
【図３】本発明の実施形態に係る印刷装置の使用例を示す図であり、（ａ）は右手で印刷装置を把持し、印刷装置を右方向に走査する場合を示す平面図、（ｂ）は左手で印刷装置を把持し、印刷装置を左方向に走査する場合を示す平面図である。
【図４】本発明の実施形態に係る印刷装置の機能構成を示すブロック図である。
【図５】本発明の実施形態に係る印刷装置の制御手順を示すフローチャートである。
【発明を実施するための形態】
【００１１】
以下、本発明を実施するための形態（以下、「実施形態」という）を、添付図面に基づいて詳細に説明する。
なお、実施形態の説明の全体を通して同じ要素には同じ番号を付している。
【００１２】
［印刷装置の構成］
図１は本発明の実施形態に係る印刷装置１の斜視図である。
また、図２は本発明の実施形態に係る印刷装置１の６面図であり、（ａ）は印刷装置１の平面図、（ｂ）は印刷装置１の正面図、（ｃ）は印刷装置１の底面図、（ｄ）は印刷装置１の背面図、（ｅ）は印刷装置１の右側面図、（ｆ）は印刷装置１の左側面図である。
なお、特に断りがない場合、左及び右との記載は、印刷装置１を把持するユーザから見た左及び右であり、印刷装置１の背面図である図２（ｄ）における左、右と一致する。
【００１３】
さらに、図３は本発明の実施形態に係る印刷装置１の使用例を示す図であり、（ａ）は右手５Ａで印刷装置１を把持し、印刷装置１を右方向に走査する場合を示す平面図、（ｂ）は左手５Ｂで印刷装置１を把持し、印刷装置１を左方向に走査する場合を示す平面図である。
【００１４】
印刷装置１は、ユーザが手動で所定の走査方向（本実施形態の走査方向は図３の右方向又は左方向）に移動させることで、例えば、紙等の印刷媒体に印刷を行う手動走査型の印刷装置（ハンディプリンタ）である。
【００１５】
印刷装置１は、図１及び図２に示すように、筐体１１、基板１２、ヘッド部１４を備える印刷機構１３、移動検出装置１５、指検出装置１６（第１指検出装置１６Ａ、第２指検出装置１６Ｂ、第３指検出装置１６Ｃ）、印刷開始位置マーカ１７（第１印刷開始位置マーカ１７Ａ、第２印刷開始位置マーカ１７Ｂ）、ユーザインターフェイス１８、印刷開始ボタン１９（第１印刷開始ボタン１９Ａ、第２印刷開始ボタン１９Ｂ）、電源ボタン２０（第１電源ボタン２０Ａ、第２電源ボタン２０Ｂ）、内蔵電源２１及びガイドローラ２２を含んで構成される。
【００１６】
筐体１１は、基板１２、印刷機構１３、移動検出装置１５及び内蔵電源２１等を内部に収納するとともに、図３に示すように、ユーザの手５（右手５Ａ、左手５Ｂ）で把持可能な外観形状を有する部材である。
【００１７】
図１及び図２に示すように、本実施形態の筐体１１は、上面１１ａ、底面１１ｂ、先端面１１ｃ、後端面１１ｄ、互いに対向する左側面１１ｅ（第１側面）及び右側面１１ｆ（第２側面）を備える直方体形状である。
そして、具体的な使用形態としては、図３（ａ）に示すように、右手５Ａで把持して右方向に走査する第１印刷操作形態と、図３（ｂ）に示すように、左手５Ｂで把持して左方向に走査する第２印刷操作形態とを想定している。
【００１８】
なお、図１から図３に示す本実施形態の筐体１１は、各面（上面１１ａ、底面１１ｂ、先端面１１ｃ、後端面１１ｄ、左側面１１ｅ（第１側面）及び右側面１１ｆ（第２側面））同士の接続部分が直角なコーナー部になっている。
しかし、手５による握りやすさを考慮し、各面（上面１１ａ、底面１１ｂ、先端面１１ｃ、後端面１１ｄ、左側面１１ｅ（第１側面）及び右側面１１ｆ（第２側面））同士の接続部分が丸みを帯びたＲ部（湾曲形状を有する湾曲部）になっていてもよい。
【００１９】
また、各面（上面１１ａ、底面１１ｂ、先端面１１ｃ、後端面１１ｄ、左側面１１ｅ（第１側面）及び右側面１１ｆ（第２側面））は、平坦面に限定されず、湾曲面としてもよい。
【００２０】
図３（ａ）に示すように、筐体１１を右手５Ａで把持して右方向に走査する第１印刷操作形態では、一般に安定して把持するために、右手５Ａの親指５１Ａが筐体１１の左側面１１ｅに位置し、右手５Ａの人差指５２Ａが筐体１１の先端面１１ｃに位置し、右手５Ａの中指５３Ａ、薬指５４Ａ及び小指５５Ａが筐体１１の右側面１１ｆに位置することがよいと考えられる。
【００２１】
また、図３（ｂ）に示すように、筐体１１を左手５Ｂで把持して左方向に走査する第２印刷操作形態では、一般に安定して把持するために、左手５Ｂの親指５１Ｂが筐体１１の右側面１１ｆに位置し、左手５Ｂの人差指５２Ｂが筐体１１の先端面１１ｃに位置し、左手５Ｂの中指５３Ｂ、薬指５４Ｂ及び小指５５Ｂが筐体１１の左側面１１ｅに位置することがよいと考えられる。
【００２２】
しかしながら、ユーザが、上述したような安定して筐体１１を把持できると考えられる指の配置で筐体１１を把持するとは限らず、筐体１１を不安定な把持状態で把持して印刷の走査を行うと、印刷品質を低下させるおそれがある。
このため、筐体１１を把持するときに、上述のような位置に指が配置されているようにして、印刷品質の低下を抑制することが好ましい。
【００２３】
また、ユーザによる印刷開始ボタン１９や電源ボタン２０の操作が行い易いように、筐体１１を把持したときに、指の近くに位置するように、印刷開始ボタン１９や電源ボタン２０を配置すると、ユーザが、印刷時に誤って、印刷開始ボタン１９や電源ボタン２０を操作するおそれがある。
このため、このような誤操作を回避できるようにすることが好ましい。
【００２４】
そこで、本実施形態では、印刷装置１に、正しい把持状態として把持し易く、かつ、誤操作の防止を行うための工夫を行っており、以下では、印刷装置１の構成についての詳細な説明を行いつつ、各所でその工夫についても説明する。
【００２５】
まず、本実施形態の筐体１１は、左側面１１ｅに設けられ、右手５Ａの親指５１Ａを収容できる第１凹部１１ｇを備えている。
具体的には、左側面視において、左側面１１ｅの後端上下方向中間位置から前方に向かって下がるように傾斜した、第１凹部１１ｇが形成されている。
【００２６】
このような第１凹部１１ｇによれば、第１印刷操作形態における適正な右手５Ａの親指５１Ａの位置をユーザに認識させることができるとともに、筐体１１の安定した把持が容易になるばかりでなく、右手５Ａの親指５１Ａの位置が安定することに伴い、印刷を開始した後に、誤って、印刷開始ボタン１９（第１印刷開始ボタン１９Ａ）や電源ボタン２０（第１電源ボタン２０Ａ）が操作されることを回避できる。
【００２７】
また、本実施形態の筐体１１は、右側面１１ｆに設けられ、左手５Ｂの親指５１Ｂを収容できる第２凹部１１ｈを備えている。
具体的には、右側面視において、右側面１１ｆの後端上下方向中間位置から前方に向かって下がるように傾斜した、第２凹部１１ｈが形成されている。
【００２８】
このような第２凹部１１ｈによれば、第２印刷操作形態における適正な左手５Ｂの親指５１Ｂの位置をユーザに認識させることができるとともに、筐体１１の安定した把持が容易になるばかりでなく、左手５Ｂの親指５１Ｂの位置が安定することに伴い、印刷を開始した後に、誤って、印刷開始ボタン１９（第２印刷開始ボタン１９Ｂ）や電源ボタン２０（第２電源ボタン２０Ｂ）が操作されることを回避できる。
【００２９】
なお、本実施形態の印刷装置１は、第１印刷操作形態及び第２印刷操作形態に対応するため、第１凹部１１ｇ及び第２凹部１１ｈを備えているが、一般に、右手５Ａで筐体１１が把持され、右方向に走査する第１印刷操作形態で使用されることが多いため、第２凹部１１ｈを省略するようにしてもよい。
【００３０】
また、本実施形態の筐体１１は、先端面１１ｃに設けられ、右手５Ａ又は左手５Ｂの人差指５２Ａ、５２Ｂを収容できる第３凹部１１ｉを備えている。
具体的には、正面視において、先端面１１ｃの上端左右方向中間位置から下方に向かって延出するように第３凹部１１ｉが形成されている。
【００３１】
このような第３凹部１１ｉによれば、第１印刷操作形態における適正な右手５Ａの人差指５２Ａの位置をユーザに認識させることができるだけでなく、第２印刷操作形態における適正な左手５Ｂの人差指５２Ｂの位置をユーザに認識させることができ、さらには、筐体１１の安定した把持が容易になる。
【００３２】
なお、本実施形態の第３凹部１１ｉは、第１印刷操作形態及び第２印刷操作形態において兼用されるが、第１印刷操作形態において使用される第３凹部と、第２印刷操作形態において使用される第３凹部とを別々に設けてもよい。
また、本実施形態の筐体１１を把持する場合、人差指５２Ａ、５２Ｂは、親指５１Ａ、５１Ｂに比べて重要度が低いため、第３凹部１１ｉを省略することもできる。
【００３３】
基板１２（図２（ａ）参照）には、例えばＣＰＵ３１、ＲＡＭ４２及びＲＯＭ４１等が取り付けられている（図４参照）。
なお、ＣＰＵ３１、ＲＡＭ４２及びＲＯＭ４１の各機能については、追って述べる。
【００３４】
本実施形態では、印刷機構１３に、インクを内蔵するとともに、印刷を行うために印刷媒体にインクを吐出するヘッド部１４が一体に設けられたインクジェットカートリッジを用いている。
【００３５】
そして、印刷機構１３は、ヘッド部１４が印刷媒体に対向する面（ここでは底面１１ｂ）に位置するように、印刷装置１に設けられている。
なお、本実施形態では、加熱によりインクを吐出させる方式のものを用いているため、ヘッド部１４はサーマルヘッドになっている。
【００３６】
ヘッド部１４は、走査方向と直交する方向に１列に並ぶ多数のノズルを備え、これらのノズルからインクが吐出される。
ただし、カラー印刷を行う場合は、複数色分（例えば、シアン、マゼンダ、イエロー）のノズル列が主走査方向に並べて配置される。
また、同じ色に対応した複数のノズル列を主走査方向に並べるように設けてもよい。
【００３７】
なお、印刷装置１は、ヘッド部１４に付着したインクの乾燥を防止するための着脱式のキャップを有していてもよい。
また、印刷装置１は、印刷装置１に付属するものとして、ヘッド部１４に付着したインクの乾燥を防止するために、不使用時に印刷装置１を載置するクレードル等を、更に備えるものとしてもよい。
【００３８】
移動検出装置１５は、印刷装置１の移動方向及び移動距離を検出（取得）する移動距離取得部４４（図４参照）であり、レーザやＬＥＤを備えた一般的にＰＣ用のマウス等に用いられているような移動方向及び移動距離を検出できる光学式のセンサでよい。
【００３９】
本実施形態では、移動検出装置１５は、移動距離を検出するための計測部１５ａを印刷装置１の底面側に位置させるように設けられている。
なお、移動距離取得部４４は、光学式のセンサに限定される必要はなく、ロータリエンコーダ式のものであってもよい。
【００４０】
指検出装置１６は、筐体１１の指配置面において指が適正な位置に配置されているか否かを検出するために設けられる。
【００４１】
具体的には、指検出装置１６は、筐体１１の左側面１１ｅに設けられ、第１印刷操作形態において右手５Ａの親指５１Ａが適正な位置に配置されているか否かを検出する第１指検出装置１６Ａと、筐体１１の右側面１１ｆに設けられ、第２印刷操作形態において左手５Ｂの親指５１Ｂが適正な位置に配置されているか否かを検出する第２指検出装置１６Ｂと、筐体１１の先端面１１ｃに設けられ、第１印刷操作形態及び第２印刷操作形態において右手５Ａの人差指５２Ａ又は左手５Ｂの人差指５２Ｂが適正な位置に配置されているか否かを検出する第３指検出装置１６Ｃと、を備えている。
【００４２】
第１指検出装置１６Ａは、第１凹部１１ｇ内に設けられ、第１凹部１１ｇに収容された右手５Ａの親指５１Ａを検出する。
また、第２指検出装置１６Ｂは、第２凹部１１ｈ内に設けられ、第２凹部１１ｈに収容された左手５Ｂの親指５１Ｂを検出する。
さらに、第３指検出装置１６Ｃは、第３凹部１１ｉ内に設けられ、第３凹部１１ｉに収容された右手５Ａの人差指５２Ａ又は左手５Ｂの人差指５２Ｂを検出する。
なお、このような指検出装置１６を設けていることについての理由については、追って述べる。
【００４３】
なお、本実施形態の印刷装置１は、第１印刷操作形態及び第２印刷操作形態に対応するため、第１指検出装置１６Ａ及び第２指検出装置１６Ｂを備えているが、先にも述べたように、一般に、右手５Ａで筐体１１が把持され、右方向に走査する第１印刷操作形態で使用されることが多いため、第２凹部１１ｈを省略するのに合わせて、第２指検出装置１６Ｂを省略するようにしてもよい。
【００４４】
また、先にも述べたように、本実施形態の筐体１１を把持する場合、人差指５２Ａ、５２Ｂは、親指５１Ａ、５１Ｂに比べて重要度が低いため、第３指検出装置１６Ｃを省略してもよい。
【００４５】
指検出装置１６としては、静電容量式タッチセンサ等の近接センサを用いることが可能であるが、近接センサの場合は、例えば、第１印刷操作形態で右手５Ａの中指５３Ａ、薬指５４Ａ、小指５５Ａのいずれかが第２指検出装置１６Ｂに近接すると、第２指検出装置１６Ｂが指検出状態となり、第２印刷操作形態と誤認するおそれがある。
なお、第２印刷操作形態のときも同様のことが起こり得る。
【００４６】
そこで、本実施形態では、指検出装置１６として指紋センサを用いている。
このようにすると、指が指紋センサに接触し、指紋が検出されたときだけ指検出状態になるので、検出精度を向上させることができる。
ただし、指紋センサといっても個別の指紋を識別する機能は必要なく、指紋であることが識別可能であればよい。
【００４７】
印刷開始位置マーカ１７は、印刷を行うにあたって、ユーザが印刷装置１を印刷媒体上に配置するときの目印となる。
図１及び図２に示すように、本実施形態の印刷装置１は、第１印刷操作形態においてヘッド部１４よりも走査方向下流側となる筐体１１の外端位置（本実施形態では筐体１１の右側面１１ｆの下端位置）に設けられる第２印刷開始位置マーカ１７Ｂと、第２印刷操作形態においてヘッド部１４よりも走査方向下流側となる筐体１１の外端位置（本実施形態では筐体１１の左側面１１ｅの下端位置）に設けられる第１印刷開始位置マーカ１７Ａとを備えている。
【００４８】
具体的には、第１印刷操作形態において、ユーザが印刷媒体の印刷を開始したい位置に第２印刷開始位置マーカ１７Ｂを合わせるようにして印刷装置１を印刷媒体上に配置し、印刷装置１を右方向に走査すると、はじめに第２印刷開始位置マーカ１７Ｂを合わせた位置にヘッド部１４が到達したところで印刷が開始される。
【００４９】
また、第２印刷操作形態において、ユーザが印刷媒体の印刷を開始したい位置に第１印刷開始位置マーカ１７Ａを合わせるようにして印刷装置１を印刷媒体上に配置し、印刷装置１を左方向に走査すると、はじめに第１印刷開始位置マーカ１７Ａを合わせた位置にヘッド部１４が到達したところで印刷が開始される。
【００５０】
なお、本実施形態の印刷装置１は、第１印刷操作形態及び第２印刷操作形態に対応するため、第２印刷開始位置マーカ１７Ｂ及び第１印刷開始位置マーカ１７Ａを備えているが、先にも述べたように、一般に、右手５Ａで筐体１１が把持され、右方向に走査する第１印刷操作形態で使用されることが多いため、第１印刷開始位置マーカ１７Ａを省略してもよい。
【００５１】
本実施形態の印刷開始位置マーカ１７は、ＬＥＤのような光源を備えており、インクの吐出が開始されると点灯し、印刷が終了すると消灯する等、印刷時の状況をユーザが把握できるように報知する機能も合わせ持っている。
【００５２】
なお、印刷開始位置マーカ１７の走査方向と直交する方向の幅は、ユーザが図形文字（文字、記号、マーク等）を印刷できる幅を的確に把握しやすいように、ヘッド部１４の印刷幅と等しいことが好ましい。
【００５３】
図示を省略しているが、ユーザインターフェイス１８は、ユーザとの間のインターフェイスであり、ユーザインターフェイス１８は、図２（ａ）に示すように、例えば液晶画面等からなるタッチ操作が可能な表示部を備えている。
【００５４】
この表示部は、ユーザによる操作をガイドする操作ガイド部や、エラーの発生を報知するエラー報知部等として機能させることができ、また、タッチ操作ができるため、印刷する文字画像の入力や選択、印刷条件の設定等を行う印刷設定部として機能させることができる。
【００５５】
また、ユーザインターフェイス１８は、例えばＷｉ−Ｆｉ（登録商標）のように、外部端末（例えば携帯電話機、スマートフォン、タブレット端末、パーソナルコンピュータ）と通信可能な無線ユニットや、例えばＵＳＢメモリやＳＤカードのような着脱式記憶媒体を装着することのできる外部接続ポートを含む。
【００５６】
したがって、印刷装置１で印刷するための印刷データ（テンプレート）を印刷装置１で作成するのではなく、作成環境のよい外部端末で作成しておいて、その外部端末で作成した印刷データを印刷装置１に読み込ませるようにすることが可能である。
【００５７】
印刷開始ボタン１９は、ユーザが印刷装置１に対して印刷の開始を指示するための操作ボタンである。
本実施形態の印刷装置１は、第１印刷操作形態において、印刷の開始を指示するための第１印刷開始ボタン１９Ａと、第２印刷操作形態において、印刷の開始を指示するための第２印刷開始ボタン１９Ｂと、を備えている。
【００５８】
第１印刷開始ボタン１９Ａは、筐体１１の左側面１１ｅに設けられ、第１印刷操作形態において、右手５Ａの親指５１Ａで操作できるようになっている。
そして、第１印刷操作形態の印刷中に誤操作されることを防止するために、第１印刷開始ボタン１９Ａは、第１印刷操作形態における右手５Ａの親指５１Ａの適正位置（第１凹部１１ｇの位置）から離間した位置に配置されている。
【００５９】
具体的には、第１印刷開始ボタン１９Ａは、第１印刷操作形態における右手５Ａの親指５１Ａの適正位置を規定する第１凹部１１ｇから離間した位置に配置されており、より詳細には、第１印刷開始ボタン１９Ａは、筐体１１の左側面１１ｅにおいて、第１凹部１１ｇの前端から前方に離間した位置に配置されている。
【００６０】
第２印刷開始ボタン１９Ｂは、筐体１１の右側面１１ｆに設けられ、第２印刷操作形態において左手５Ｂの親指５１Ｂで操作できるようになっている。
そして、第２印刷操作形態の印刷中に誤操作されることを防止するために、第２印刷開始ボタン１９Ｂは、第２印刷操作形態における左手５Ｂの親指５１Ｂの適正位置（第２凹部１１ｈの位置）から離間した位置に配置される。
【００６１】
具体的には、第２印刷開始ボタン１９Ｂは、第２印刷操作形態における左手５Ｂの親指５１Ｂの適正位置を規定する第２凹部１１ｈから離間した位置に配置されており、より詳細には、第２印刷開始ボタン１９Ｂは、筐体１１の右側面１１ｆにおいて、第２凹部１１ｈの前端から前方に離間した位置に配置されている。
【００６２】
なお、本実施形態の印刷装置１は、第１印刷操作形態及び第２印刷操作形態に対応するため、第１印刷開始ボタン１９Ａ及び第２印刷開始ボタン１９Ｂを備えているが、先にも述べたように、一般に、右手５Ａで筐体１１が把持され、右方向に走査する第１印刷操作形態で使用されることが多いため、第２印刷開始ボタン１９Ｂを省略してもよい。
【００６３】
電源ボタン２０は、ユーザが印刷装置１の電源を投入及び切断するための操作ボタンである。
本実施形態の印刷装置１は、第１印刷操作形態において、印刷装置１の電源を投入及び切断するための第１電源ボタン２０Ａと、第２印刷操作形態において印刷装置１の電源を投入及び切断するための第２電源ボタン２０Ｂと、を備えている。
【００６４】
第１電源ボタン２０Ａは、筐体１１の左側面１１ｅに設けられ、第１印刷操作形態において右手５Ａの親指５１Ａで操作できるようになっている。
そして、第１印刷操作形態の印刷中に誤操作されることを防止するために、第１電源ボタン２０Ａは、第１印刷操作形態における右手５Ａの親指５１Ａの適正位置（第１凹部１１ｇの位置）から離間した位置に配置されている。
【００６５】
具体的には、第１電源ボタン２０Ａは、第１印刷操作形態における右手５Ａの親指５１Ａの適正位置を規定する第１凹部１１ｇから離間した位置に配置されており、より詳細には、第１電源ボタン２０Ａは、筐体１１の左側面１１ｅにおいて、第１凹部１１ｇの前端から前方に離間した位置（第１印刷開始ボタン１９Ａの上方位置）に配置されている。
【００６６】
第２電源ボタン２０Ｂは、筐体１１の右側面１１ｆに設けられ、第２印刷操作形態において左手５Ｂの親指５１Ｂで操作できるようになっている。
そして、第２印刷操作形態の印刷中に誤操作されることを防止するために、第２電源ボタン２０Ｂは、第２印刷操作形態における左手５Ｂの親指５１Ｂの適正位置（第２凹部１１ｈの位置）から離間した位置に配置される。
【００６７】
具体的には、第２電源ボタン２０Ｂは、第２印刷操作形態における左手５Ｂの親指５１Ｂの適正位置を規定する第２凹部１１ｈから離間した位置に配置されており、より詳細には、第２電源ボタン２０Ｂは、筐体１１の右側面１１ｆにおいて、第２凹部１１ｈの前端から前方に離間した位置（第２印刷開始ボタン１９Ｂの上方位置）に配置されている。
【００６８】
なお、本実施形態の印刷装置１は、第１印刷操作形態及び第２印刷操作形態に対応するため、第１電源ボタン２０Ａ及び第２電源ボタン２０Ｂを備えているが、先にも述べたように、一般に、右手５Ａで筐体１１が把持され、右方向に走査する第１印刷操作形態で使用されることが多いため、第２電源ボタン２０Ｂを省略してもよい。
【００６９】
また、印刷中に誤操作が発生することを抑制するために、２つの電源ボタン２０（第１電源ボタン２０Ａ及び第２電源ボタン２０Ｂ）を設けるのではなく、１つの電源ボタン２０を筐体１１の後端面１１ｄ等の印刷のための走査中に押され難い場所に配置するようにしてもよい。
【００７０】
内蔵電源２１は、印刷装置１の電源となる、例えば、乾電池又は二次電池等である。
【００７１】
ガイドローラ２２は、筐体１１の底面１１ｂに設けられ、印刷媒体に接触して印刷装置１の主走査方向への移動をガイドする。
本実施形態では、筐体１１の底面１１ｂにおいて、ヘッド部１４を囲むように４つのガイドローラ２２が設けられ、これらのガイドローラ２２が印刷媒体に接触して走査方向に回転することで、ユーザによる印刷装置１の走査方向への直線的な移動操作が容易になっている。
【００７２】
［印刷装置の機能構成］
次に、本発明の実施形態に係る印刷装置１の機能構成を示すブロック図である図４を参照しながら印刷装置１の機能構成等について説明する。
【００７３】
図４に示すように、印刷装置１は、制御装置３０、メモリ４０、印刷部４３、移動距離取得部４４、指検出部４５、印刷指示部４６及び通信インターフェイス４７等の機能部を有している。
【００７４】
制御装置３０は、印刷装置１の全体的な動作を制御する機能部であり、ＣＰＵ３１及び印刷制御装置３２等を含む。
【００７５】
ＣＰＵ３１は、例えば、印刷開始ボタン１９で構成される印刷指示部４６からの印刷指示を受け、ＲＯＭ４１及びＲＡＭ４２に格納されている各種データ等に基づいて、印刷内容を決定して印刷制御装置３２に指示する等の処理を行う。
【００７６】
印刷制御装置３２は、ＲＡＭ４２に格納されている印刷データ（印刷バッファ）の内容を、移動距離取得部４４によって検出された印刷装置１の移動距離に応じて、後述する印刷部４３へ転送して印刷部４３に印刷を実行させる。
【００７７】
メモリ４０は、ＲＡＭ４２及びＲＯＭ４１を含む。
ＲＡＭ４２は、ＣＰＵ３１における演算のために使用されるデータや、印刷部４３に出力する印刷データを、一時的に格納する。
【００７８】
ＲＯＭ４１は、印刷装置１の各機能を実現するための、図形文字（文字、記号、絵文字を含む）等のデータ、その図形文字のサイズ情報、印刷データのテーブルや各種プログラム等を格納している。
【００７９】
印刷部４３は、印刷媒体へ印刷するための機能部であり、本実施形態ではヘッド部１４を備える印刷機構１３によって構成されている。
【００８０】
移動距離取得部４４は、印刷装置１の移動方向及び移動距離を検出する機能部であり、本実施形態では移動検出装置１５によって構成されている。
【００８１】
指検出部４５は、筐体１１の指配置面において指が適正な位置に配置されているか否かを検出する機能部である。
本実施形態では、第１指検出装置１６Ａ、第２指検出装置１６Ｂ及び第３指検出装置１６Ｃによって構成されている。
【００８２】
印刷指示部４６は、制御装置３０に印刷に伴う制御を開始させる機能部であり、本実施形態では第１印刷開始ボタン１９Ａ及び第２印刷開始ボタン１９Ｂによって構成されている。
【００８３】
通信インターフェイス４７は、ユーザインターフェイス１８の一部であり、例えばパソコン又はスマートフォンのような端末装置から各種データ（例えば、印刷データ（テンプレート）等）及び各種プログラムを受信するためのインターフェイスである。
具体的には、上述したように、Ｗｉ−Ｆｉの無線ユニットやＵＳＢメモリ等が装着される外部接続ポート等である。
【００８４】
［印刷装置の動作］
次に、印刷装置１が印刷を行う場合の動作の概要について、図１から図３を参照しながら説明する。
なお、印刷装置１が印刷する印刷データは、印刷を行う動作が開始される前に、パソコンやスマートフォン等の印刷データ作成アプリを備える外部端末で作成され、印刷装置１にあらかじめ登録されているものとする。
【００８５】
（第１印刷操作形態）
第１印刷操作形態で印刷を行う場合、ユーザは、第２印刷開始位置マーカ１７Ｂを印刷媒体の印刷開始位置に合わせるようにして印刷装置１を印刷媒体上にセットした後、第１印刷開始ボタン１９Ａを押す。
【００８６】
そうすると、制御装置３０は、第１印刷開始ボタン１９Ａの操作に応じて、右方向への走査に対応した印刷データを生成するとともに、移動検出装置１５による移動距離の検出を開始させ、さらに、第１指検出装置１６Ａ及び第３指検出装置１６Ｃによる指検出状態を判断する。
【００８７】
つまり、制御装置３０は、右手５Ａの親指５１Ａ及び人差指５２Ａが適正な位置にあるか否かを、第１指検出装置１６Ａ及び第３指検出装置１６Ｃによる指検出状態に基づいて判断し、右手５Ａの親指５１Ａ及び人差指５２Ａが適正な位置にあると判断した場合に印刷機構１３に第１印刷操作形態の印刷を許可する第１印刷許可状態に移行する。
【００８８】
これにより、右手５Ａの親指５１Ａ及び人差指５２Ａが適正な位置にない状態、例えば、右手５Ａの親指５１Ａが第１印刷開始ボタン１９Ａ上に置かれている状態で印刷処理が実行されることを防止できる。
【００８９】
また、制御装置３０は、第１印刷許可状態のとき第２印刷開始ボタン１９Ｂの機能を無効に設定する。
具体的には、第２印刷開始ボタン１９Ｂが操作されても、その操作信号を無効にする。
【００９０】
これにより、第１印刷操作形態において、右手５Ａの中指５３Ａ、薬指５４Ａ、小指５５Ａのいずれかが誤って第２印刷開始ボタン１９Ｂを押しても、その操作信号が無効となり、第２印刷開始ボタン１９Ｂの誤操作に伴う誤動作を防止できる。
【００９１】
また、制御装置３０は、第１印刷許可状態のとき第１電源ボタン２０Ａ及び第２電源ボタン２０Ｂの機能を無効に設定する。
具体的には、第１電源ボタン２０Ａ及び第２電源ボタン２０Ｂが操作されても、その操作信号を無効にする。
【００９２】
これにより、第１印刷操作形態において、例えば、右手５Ａの中指５３Ａ、薬指５４Ａ、小指５５Ａのいずれかが誤って第２電源ボタン２０Ｂを押しても、その操作信号が無効となり、第２電源ボタン２０Ｂの誤操作に伴う電源オフを防止できる。
【００９３】
そして、ユーザが、第１印刷許可状態において、印刷装置１を右方向に走査すると、移動検出装置１５によって印刷装置１の移動が検出されることになり、制御装置３０は、移動検出装置１５によって印刷装置１の移動を検出すると、印刷処理を開始する。
【００９４】
制御装置３０は、印刷処理において、印刷装置１の移動に応じてヘッド部１４にインクを吐出させることにより、印刷データによって規定された文字や図形を印刷媒体に印刷し、すべての印刷データの印刷が完了したら、次の印刷が可能となるように、印刷装置１の状態を第１印刷開始ボタン１９Ａが操作される前の初期状態に戻す。
【００９５】
また、制御装置３０は、第１印刷許可状態の印刷処理中も第１指検出装置１６Ａによる指検出状態を監視しており、第１印刷許可状態の印刷処理中に第１指検出装置１６Ａによる指検出がなくなったら、筐体１１から右手５Ａが離れ、走査ができない状態であると判断し、印刷処理を中止し、印刷装置１の状態を第１印刷開始ボタン１９Ａが操作される前の初期状態に戻す。
【００９６】
（第２印刷操作形態）
第２印刷操作形態で印刷を行う場合、ユーザは、第１印刷開始位置マーカ１７Ａを印刷媒体の印刷開始位置に合わせるようにして印刷装置１を印刷媒体上にセットした後、第２印刷開始ボタン１９Ｂを押す。
【００９７】
そうすると、制御装置３０は、第２印刷開始ボタン１９Ｂの操作に応じて、左方向への走査に対応した印刷データを生成するとともに、移動検出装置１５による移動距離の検出を開始させ、さらに、第２指検出装置１６Ｂ及び第３指検出装置１６Ｃによる指検出状態を判断する。
【００９８】
つまり、制御装置３０は、左手５Ｂの親指５１Ｂ及び人差指５２Ｂが適正な位置にあるか否かを、第２指検出装置１６Ｂ及び第３指検出装置１６Ｃによる指検出状態に基づいて判断し、左手５Ｂの親指５１Ｂ及び人差指５２Ｂが適正な位置にあると判断した場合に印刷機構１３に第２印刷操作形態の印刷を許可する第２印刷許可状態に移行する。
【００９９】
これにより、左手５Ｂの親指５１Ｂ及び人差指５２Ｂが適正な位置にない状態、例えば、左手５Ｂの親指５１Ｂが第２印刷開始ボタン１９Ｂ上に置かれている状態で印刷処理が実行されることを防止できる。
【０１００】
また、制御装置３０は、第２印刷許可状態のとき第１印刷開始ボタン１９Ａの機能を無効に設定する。
具体的には、第１印刷開始ボタン１９Ａが操作されても、その操作信号を無効にする。
【０１０１】
これにより、第２印刷操作形態において、左手５Ｂの中指５３Ｂ、薬指５４Ｂ、小指５５Ｂのいずれかが誤って第１印刷開始ボタン１９Ａを押しても、その操作信号が無効となり、第１印刷開始ボタン１９Ａの誤操作に伴う誤動作を防止できる。
【０１０２】
また、制御装置３０は、第２印刷許可状態のときも第１電源ボタン２０Ａ及び第２電源ボタン２０Ｂの機能を無効に設定する。
具体的には、第１電源ボタン２０Ａ及び第２電源ボタン２０Ｂが操作されても、その操作信号を無効にする。
【０１０３】
これにより、第２印刷操作形態において、例えば、左手５Ｂの中指５３Ｂ、薬指５４Ｂ、小指５５Ｂのいずれかが誤って第１電源ボタン２０Ａを押しても、その操作信号が無効となり、第１電源ボタン２０Ａの誤操作に伴う電源オフを防止できる。
【０１０４】
そして、ユーザが、第２印刷許可状態において、印刷装置１を左方向に走査すると、移動検出装置１５によって印刷装置１の移動が検出されることになり、制御装置３０は、移動検出装置１５によって印刷装置１の移動を検出すると、印刷処理を開始する。
【０１０５】
制御装置３０は、印刷処理において、印刷装置１の移動に応じてヘッド部１４にインクを吐出させることにより、印刷データによって規定された文字や図形を印刷媒体に印刷し、すべての印刷データの印刷が完了したら、次の印刷が可能となるように、印刷装置１の状態を第２印刷開始ボタン１９Ｂが操作される前の初期状態に戻す。
【０１０６】
また、制御装置３０は、第２印刷許可状態の印刷処理中も第２指検出装置１６Ｂによる指検出状態を監視しており、第２印刷許可状態の印刷処理中に第２指検出装置１６Ｂによる指検出がなくなったら、筐体１１から左手５Ｂが離れ、走査ができない状態であると判断し、印刷処理を中止し、印刷装置１の状態を第２印刷開始ボタン１９Ｂが操作される前の初期状態に戻す。
【０１０７】
［制御装置の制御手順］
次に、上記のような印刷装置１の動作を実現する制御装置３０による印刷装置１の制御手順を示すフローチャートである図５を参照しながら説明する。
ただし、図５のフローチャートに従った制御が開始される前に、通信インターフェイス４７を通じて印刷データが印刷装置１に読み込まれているものとする。
【０１０８】
ユーザによって第１電源ボタン２０Ａ又は第２電源ボタン２０Ｂが操作されると、印刷装置１が起動し、図５に示す制御装置３０の制御手順が開始される。
【０１０９】
図５に示すように、制御装置３０は、初期状態において、第１印刷開始ボタン１９Ａ及び第２印刷開始ボタン１９Ｂの操作を繰り返し判断する（Ｓ１１、Ｓ２１）。
【０１１０】
そして、制御装置３０は、第１印刷開始ボタン１９Ａが操作されたと判断したら（Ｓ１１：ＹＥＳ）、右方向への走査に対応した印刷データを生成するとともに（Ｓ１２）、移動検出装置１５による移動距離の検出を開始させる（Ｓ１３）。
【０１１１】
制御装置３０は、次に第１指検出装置１６Ａ及び第３指検出装置１６Ｃによる指検出状態を繰り返し判断する（Ｓ１４）。
【０１１２】
制御装置３０は、第１指検出装置１６Ａ及び第３指検出装置１６Ｃが指検出状態であると判断したら（Ｓ１４：ＹＥＳ）、印刷機構１３に第１印刷操作形態の印刷を許可する第１印刷許可状態に移行するとともに（Ｓ１５）、第２印刷開始ボタン１９Ｂの機能を無効に設定する（Ｓ１６）。
【０１１３】
なお、ステップＳ１６で第１印刷開始ボタン１９Ａの機能も無効に設定するようにしてもよいが、第１印刷操作形態では、右手５Ａで印刷装置１が把持されており、しかも、第１指検出装置１６Ａが指検出状態である場合、第１印刷開始ボタン１９Ａ上に右手５Ａの親指５１Ａが存在せず、右手５Ａの親指５１Ａは第１凹部１１ｇ内に位置している。
【０１１４】
このため、第１印刷開始ボタン１９Ａが誤操作される可能性は低いので、ステップＳ１６で第１印刷開始ボタン１９Ａの機能を無効に設定しなくてもよい。
【０１１５】
次に、制御装置３０は、更に第１電源ボタン２０Ａ及び第２電源ボタン２０Ｂの機能を無効に設定した後（Ｓ１７）、移動検出装置１５によって印刷装置１の移動を検出すると（Ｓ１８）、印刷処理を開始する（Ｓ１９）。
なお、印刷処理の内容は、前述したので、ここでは説明を省略する。
また、先にステップＳ１６で説明したのと同様の理由から、ステップＳ１７を第２電源ボタン２０Ｂの機能を無効に設定するだけとして、第１電源ボタン２０Ａの機能を無効にする設定を行わないようにしてもよい。
【０１１６】
一方、制御装置３０は、初期状態において、第２印刷開始ボタン１９Ｂが操作されたと判断したら（Ｓ２１：ＹＥＳ）、左方向への走査に対応した印刷データを生成するとともに（Ｓ２２）、移動検出装置１５による移動距離の検出を開始させる（Ｓ２３）。
【０１１７】
制御装置３０は、次に第２指検出装置１６Ｂ及び第３指検出装置１６Ｃによる指検出状態を繰り返し判断する（Ｓ２４）。
【０１１８】
制御装置３０は、第２指検出装置１６Ｂ及び第３指検出装置１６Ｃが指検出状態であると判断したら（Ｓ２４：ＹＥＳ）、印刷機構１３に第２印刷操作形態の印刷を許可する第２印刷許可状態に移行するとともに（Ｓ２５）、第１印刷開始ボタン１９Ａの機能を無効に設定する（Ｓ２６）。
【０１１９】
なお、ステップＳ２６で第２印刷開始ボタン１９Ｂの機能も無効に設定するようにしてもよいが、第２印刷操作形態では、左手５Ｂで印刷装置１が把持されており、しかも、第２指検出装置１６Ｂが指検出状態である場合、第２印刷開始ボタン１９Ｂ上に左手５Ｂの親指５１Ｂが存在せず、左手５Ｂの親指５１Ｂは第２凹部１１ｈ内に位置している。
【０１２０】
このため、第２印刷開始ボタン１９Ｂが誤操作される可能性は低いので、ステップＳ２６で第２印刷開始ボタン１９Ｂの機能を無効に設定しなくてもよい。
【０１２１】
制御装置３０は、更に第１電源ボタン２０Ａ及び第２電源ボタン２０Ｂの機能を無効に設定した後（Ｓ１７）、移動検出装置１５によって印刷装置１の移動を検出し（Ｓ１８）、印刷処理を開始する（Ｓ１９）。
なお、この第２印刷操作形態の場合も、先にステップＳ２６で説明したのと同様の理由から、ステップＳ１７を第１電源ボタン２０Ａの機能を無効に設定するだけとして、第２電源ボタン２０Ｂの機能を無効にする設定を行わないようにしてもよい。
【０１２２】
以上、具体的な実施形態に基づいて本発明の印刷装置１について説明してきたが、本発明は、上記の具体的な実施形態に限定されるものではない。
例えば、上記実施形態の第３凹部１１ｉ及び第３指検出装置１６Ｃは、必須の構成ではなく、省略してもよい。
この場合、図５に示すステップＳ１４及びステップＳ２４の第３指検出装置１６Ｃによる指検出は省略される。
【０１２３】
また、先にも触れたように、一般に、右手５Ａで筐体１１が把持され、右方向に走査する第１印刷操作形態で使用されることが多いため、印刷装置１を右利き専用とし、第２凹部１１ｈ、第２印刷開始ボタン１９Ｂ、第２指検出装置１６Ｂ及び第２電源ボタン２０Ｂを省略してもよい。
この場合、図５に示すステップＳ２１〜Ｓ２６が省略されるとともに、ステップＳ１６における第２印刷開始ボタン１９Ｂ及びステップＳ１７における第２電源ボタン２０Ｂの無効化処理が省略される。
【０１２４】
さらに、第１凹部１１ｇ、第２凹部１１ｈ、第３凹部１１ｉは、必須の構成ではなく、省略してもよい。
この場合、適正な指配置を示す別途手段を設けることが好ましい。
例えば、筐体１１に指の輪郭線やマークを施せば、凹部でなくとも適正な指配置を促すことができる。
【０１２５】
このように、本発明は、具体的な実施形態に限定されるものではなく、様々な変形や改良を加えたものも本発明の技術的範囲に含まれるものであり、そのことは当業者にとって特許請求の範囲の記載から明らかである。
【０１２６】
以下に、この出願の願書に最初に添付した特許請求の範囲に記載した発明を付記する。付記に記載した請求項の項番は、この出願の願書に最初に添付した特許請求の範囲のとおりである。
＜請求項１＞
印刷媒体に対して手動で移動させて印刷を行う印刷装置であって、
前記印刷を行う印刷機構と、
前記印刷機構を収納しユーザの手により把持可能な筐体と、
前記筐体の第１側面に設けられて前記筐体を把持している前記ユーザの第１の手の親指の接触を検出するための第１指検出装置と、
を備えていることを特徴とする印刷装置。
＜請求項２＞
前記第１側面に設けられ、前記印刷の開始を指示する第１印刷開始ボタンと、
前記第１側面に設けられ、前記第１の手の前記親指を収容できる第１凹部と、
を備え、
前記第１指検出装置は前記第１凹部内に設けられていて、
前記第１印刷開始ボタンは、前記第１側面における前記第１凹部とは異なる箇所に設けられていることを特徴とする請求項１に記載の印刷装置。
＜請求項３＞
前記筐体における前記第１側面と対向する第２側面に設けられて前記筐体を把持している前記ユーザの第２の手の親指の接触を検出するための第２指検出装置と、を備えていることを特徴とする請求項１又は請求項２に記載の印刷装置。
＜請求項４＞
前記第２側面に設けられ、前記印刷の開始を指示する第２印刷開始ボタンと、
前記第２側面に設けられ、前記第２の手の前記親指を収容できる第２凹部と、
を備え、
前記第２指検出装置は前記第２凹部内に設けられていて、
前記第２印刷開始ボタンは、前記第２側面における前記第２凹部とは異なる箇所に設けられていることを特徴とする請求項３に記載の印刷装置。
＜請求項５＞
制御装置を有し、
前記制御装置は、前記第１印刷開始ボタンの操作を検出した後に、前記第１指検出装置が前記第１の手の前記親指の接触を検出すると、前記印刷機構を、前記印刷機構による印刷を許可する第１印刷許可状態に設定することを特徴とする請求項１から請求項４のいずれか１項に記載の印刷装置。
＜請求項６＞
制御装置を有し、
前記制御装置は、前記第２印刷開始ボタンの操作を検出した後に、前記第２指検出装置が前記第２の手の前記親指の接触を検出すると、前記印刷機構を、前記印刷機構による印刷を許可する第２印刷許可状態に設定することを特徴とする請求項３又は請求項４に記載の印刷装置。
＜請求項７＞
制御装置を有し、
前記制御装置は、
前記第１印刷開始ボタンの操作を検出した後に、前記第１指検出装置が前記第１の手の前記親指の接触を検出すると、前記印刷機構を、前記印刷機構による印刷を許可する第１印刷許可状態に設定するとともに、前記第２印刷開始ボタンの機能を無効に設定し、
前記第２印刷開始ボタンの操作を検出した後に、前記第２指検出装置が前記第２の手の前記親指の接触を検出すると、前記印刷機構を、前記印刷機構による印刷を許可する第２印刷許可状態に設定するとともに、前記第１印刷開始ボタンの機能を無効に設定することを特徴とする請求項３又は請求項４に記載の印刷装置。
＜請求項８＞
制御装置と、
前記筐体の先端面に設けられて前記第１の手の人差指を収容できる第３凹部と、
前記第３凹部内に設けられて、前記第１の手の前記人差指の接触を検出する第３指検出装置と、
を備え、
前記制御装置は、前記第１印刷開始ボタンの操作を検出した後に、前記第１指検出装置及び前記第３指検出装置が前記第１の手の前記人差指の接触を検出したとき、前記印刷機構を、前記印刷機構による印刷を許可する第１印刷許可状態に設定することを特徴とする請求項１から請求項４のいずれか１項に記載の印刷装置。
＜請求項９＞
制御装置と、
前記筐体の先端面に設けられて、前記第２手の人差指を収容できる第３凹部と、
前記第３凹部内に設けられて、前記第２の手の前記人差指の接触を検出する第３指検出装置と、
を備え、
前記制御装置は、前記第２印刷開始ボタンの操作を検出した後に、前記第２指検出装置及び前記第３指検出装置が前記第２の手の前記人差指の接触を検出したとき、前記印刷機構を、前記印刷機構による印刷を許可する第２印刷許可状態に設定することを特徴とする請求項３又は請求項４に記載の印刷装置。
＜請求項１０＞
制御装置と、
前記筐体の先端面に設けられて、前記第１又は第２の手の人差指を収容できる第３凹部と、
前記第３凹部内に設けられて、前記第１又は第２の手の前記人差指の接触を検出する第３指検出装置と、を備え、
前記制御装置は、
前記第１印刷開始ボタンの操作を検出した後に、前記第１指検出装置及び第３指検出装置が前記第１の手の前記親指及び前記人差指の接触を検出すると、前記印刷機構を、前記印刷機構による印刷を許可する第１印刷許可状態にするとともに、前記第２印刷開始ボタンの機能を無効に設定し、
前記第２印刷開始ボタンの操作を検出した後に、前記第２指検出装置及び前記第３指検出装置が前記第２の手の前記親指及び前記人差指の接触を検出すると、前記印刷機構を、前記印刷機構による印刷を許可する第２印刷許可状態にするとともに、前記第１印刷開始ボタンの機能を無効に設定することを特徴とする請求項３又は請求項４に記載の印刷装置。
＜請求項１１＞
前記第１側面に設けられた第１電源ボタンと、
前記第２側面に設けられた第２電源ボタンと、を備え、
前記制御装置は、前記印刷機構を前記第１印刷許可状態又は前記第２印刷許可状態に設定している場合に、前記第１電源ボタン及び前記第２電源ボタンの機能を無効に設定することを特徴とする請求項７又は請求項１０に記載の印刷装置。
【符号の説明】
【０１２７】
１  印刷装置
５  手
５Ａ  右手
５１Ａ  親指
５２Ａ  人差指
５３Ａ  中指
５４Ａ  薬指
５５Ａ  小指
５Ｂ  左手
５１Ｂ  親指
５２Ｂ  人差指
５３Ｂ  中指
５４Ｂ  薬指
５５Ｂ  小指
１１  筐体
１１ａ  上面
１１ｂ  底面
１１ｃ  先端面
１１ｄ  後端面
１１ｅ  左側面
１１ｆ  右側面
１１ｇ  第１凹部
１１ｈ  第２凹部
１１ｉ  第３凹部
１２  基板
１３  印刷機構
１４  ヘッド部
１５  移動検出装置
１５ａ  計測部
１６  指検出装置
１６Ａ  第１指検出装置
１６Ｂ  第２指検出装置
１６Ｃ  第３指検出装置
１７  印刷開始位置マーカ
１７Ａ  第１印刷開始位置マーカ
１７Ｂ  第２印刷開始位置マーカ
１８  ユーザインターフェイス
１９  印刷開始ボタン
１９Ａ  第１印刷開始ボタン
１９Ｂ  第２印刷開始ボタン
２０  電源ボタン
２０Ａ  第１電源ボタン
２０Ｂ  第２電源ボタン
２１  内蔵電源
２２  ガイドローラ
３０  制御装置
３１  ＣＰＵ
３２  印刷制御装置
４０  メモリ
４１  ＲＯＭ
４２  ＲＡＭ
４３  印刷部
４４  移動距離取得部
４５  指検出部
４６  印刷指示部
４７  通信インターフェイス
【図１】
2019098696.tif 000003
【図２】
2019098696.tif 000004
【図３】
2019098696.tif 000005
【図４】
2019098696.tif 000006
【図５】
2019098696.tif 000007